(57)【要約】着用者の身体の少なくとも上半身を覆う衣服を有する防護服を提供する。衣服は、この衣服に結合したマスク要素を有し、このマスク要素は、収容状態及び展開状態をとり、前記展開状態において着用者の鼻及び／又は口を覆うように前方に伸展することができる。
2011527386.tif 000002
【特許請求の範囲】
【請求項１】
着用者の身体の少なくとも上半身を覆う衣服を有する防護服であって、前記衣服は、
前記衣服と結合したマスク要素を有し、前記マスク要素は、収容状態及び展開状態をとり、前記展開状態において前記着用者の鼻及び／又は口を覆うように前方に伸展するようにした、
防護服。
【請求項２】
請求項１に記載の防護服において、前記マスク要素が前記収容状態にあるとき、前記マスクの少なくとも一部分が、前記衣服の一部の裏側に配置される、防護服。
【請求項３】
請求項１又は２に記載の防護服において、前記マスク要素は、湾曲体、凹状体、又は閉ループの形式とした、防護服。
【請求項４】
請求項１〜３のいずれか一項に記載の防護服において、前記マスク要素は、前記衣服上の少なくとも１つの固定領域に結合し、当該固定領域から伸展するようにした、防護服。
【請求項５】
請求項１〜３のいずれか一項に記載の防護服において、前記衣服は、折り返し上襟部を設けたシャツタイプ折り返しカラーを有し、前記マスクは、前記収容状態において前記折り返し上襟部の裏側に配設した、防護服。
【請求項６】
請求項５に記載の防護服において、前記少なくとも１つの固定領域は、前記シャツタイプ折り返しカラーに配置した、防護服。
【請求項７】
請求項６に記載の防護服において、前記マスク要素は、前記シャツタイプ折り返しカラーに配置した２つの固定領域に結合し、当該２つの固定領域から伸展するようにした、防護服。
【請求項８】
請求項７に記載の防護服において、前記２つの固定領域は、前記着用者の首の各側部における中間部分近傍で前記シャツタイプ折り返しカラーの両側に配置した、防護服。
【請求項９】
請求項８に記載の防護服において、前記２つの固定領域は、前記シャツタイプ折り返しカラーの前記折り返し上襟部の裏面に配置した、防護服。
【請求項１０】
請求項１〜４のいずれか一項に記載の防護服において、前記衣服は、前記衣服の首領域近傍に位置するポケット部分を有し、前記マスクは、前記収容状態において前記ポケット部分内に配置される、防護服。
【請求項１１】
請求項１０に記載の防護服において、前記ポケット部分を、前記衣服の背中側に配置した、防護服。
【請求項１２】
請求項１０及び１１に記載の防護服において、前記少なくとも１つの固定領域を、前記ポケット部分内に配置した、防護服。
【請求項１３】
請求項１〜１２のいずれか一項に記載の防護服において、前記マスク要素を、前記衣服に着脱可能に結合する、防護服。
【請求項１４】
請求項１３に記載の防護服において、前記マスク要素は、フック及びループ式のファスナによって前記衣服に着脱可能に結合する、防護服。
【請求項１５】
請求項１〜１４のいずれか一項に記載の防護服において、前記マスク要素は、フィルタとして作用する、防護服。
【請求項１６】
請求項１〜１５のいずれか一項に記載の防護服において、前記マスク要素は、前記収容状態では隠れてほぼ見えない、防護服。
【請求項１７】
請求項１〜１６のいずれか一項に記載の防護服において、前記マスク要素は、使用時に前記フィルタ領域を通過して前記使用者の鼻及び／又は口に入る空気をフィルタ処理できるフィルタ領域を有する、防護服。
【請求項１８】
請求項１７に記載の防護服において、前記フィルタ領域は、前記使用者の鼻及び／又は口に入る空気から浮遊粒子状物質及び／又は浮遊病原体を除去できるものとした、防護服。
【請求項１９】
粉塵の吸い込み及び／又は浮遊病原体を携帯可能に阻止する方法であって、
請求項１〜１８のいずれか一項に記載の防護服の前記マスク要素を収容状態にして準備するステップと、
前記着用者の口及び鼻を覆うように前記マスク要素を展開するステップと、
を有する方法。
【請求項２０】
着用者の身体の少なくとも上半身を覆う衣服に恒久的に又は取り外し可能に取り付けるようにし、収容状態及び展開状態をとり、前記展開状態では前記着用者の鼻及び／又は口を覆うように前方に伸展するよう構成したマスク要素。
【発明の詳細な説明】
【技術分野】
【０００１】
本発明は、一般に防護服及び／又はその付属品に関する。
【背景技術】
【０００２】
粉塵環境での作業は、作業員の様々な粉塵疾患を引き起こす恐れがある。浮遊微小粒子及び汚染物質の吸入がその原因である。しかしながら、作業員は、浮遊微小粒子の大部分をフィルタ除去する防護マスクを誤った位置で着用することが多い。さらに、マスクを落しそしてうっかり踏みつけて損傷することも多く、また装着が面倒で不恰好に思われることもよくあり、結果として着用もされない可能性もある。
【０００３】
浮遊粒子状物質を伴う環境に加えて浮遊病原体の感染に対する懸念から、マスクの着用はより一般的になってきている。世界中の都市部や公共交通機関のような人が密集するエリアでは、特にこのことが言える。
【発明の概要】
【発明が解決しようとする課題】
【０００４】
本発明は、上述の課題の１つ又は複数を改善することを目的とする。本発明は、使用者がマスク着用の必要性を感じる何らかの状況で容易に展開可能なマスク要素を有する防護服を得ることも目的とする。
【課題を解決するための手段】
【０００５】
一態様によれば、本発明は、着用者の身体の少なくとも上半身を覆う衣服を有する防護服を提供し、前記衣服は、前記衣服に結合したマスク要素を有し、前記マスク要素は、収容状態及び展開状態をとることができ、前記展開状態において前記着用者の鼻及び／又は口を覆うように前方に伸展する、
防護服を提供する。
【０００６】
一実施形態において、前記マスク要素は、前記マスクの少なくとも一部分が前記衣服の一部の裏側に位置する収容状態をとることができる。一実施形態において、前記マスク要素は、湾曲体（bight）、凹状体（concave）、又は閉ループの形式とする。前記マスク要素は、前記衣服における少なくとも１つの固定領域に結合し、当該固定領域から伸展することができる。
【０００７】
一実施形態によれば、前記衣服は、折り返し上襟部（over fold）を設けたシャツタイプ折り返しカラーを有し、前記マスクは、前記収容状態において前記折り返し上襟部の裏側に配設する。この実施形態の一形態において、前記少なくとも１つの固定領域を、前記シャツタイプ折り返しカラーの一部に配置し、前記シャツタイプ折り返しカラーの前記折り返し上襟部の裏面に配置することができる。一形態において、前記マスク要素は、２つの固定領域に結合し、当該２つの固定領域から伸展し、前記２つの固定領域は、前記着用者の首の各側部における中間部分近傍で前記シャツタイプ折り返しカラーの両側に配置する。
【０００８】
一つの代替的実施形態によれば、前記衣服は、前記衣服の首領域近傍に配置したポケット部分を有し、前記マスクは、前記収容状態において前記ポケット部分内に配置する。この実施形態の一形態において、前記ポケット部分は、前記衣服の背中側に配置し、前記少なくとも１つの固定領域を、前記ポケット部分内に配置する。
【０００９】
一形態において、前記マスク要素を、前記衣服に着脱可能に結合する。別の形態において、前記マスク要素は、フック及びループ式のファスナによって前記衣服に着脱可能に結合する。
【００１０】
一形態において、前記マスク要素は、フィルタとして作用する。別の形態において、前記マスク要素は、粒子状物質及び／又は浮遊病原体用のフィルタとして作用する。一形態において、前記マスク要素は、前記収容状態では隠れてほぼ見えない。
【００１１】
本発明の別の態様によれば、粉塵及び／又は浮遊病原体の吸い込みを携帯可能に阻止する方法を提供し、この方法は、
着用者の身体の少なくとも上半身を覆う衣服を有する防護服を準備する準備ステップであって、前記衣服は、前記衣服に結合したマスク要素を有し、前記マスク要素は、収容状態及び展開状態をとり、前記展開状態において前記着用者の鼻及び／又は口を覆うように前方に伸展することができるものとした、該準備ステップと、
前記着用者の口及び鼻を覆うように前記マスク要素を展開するステップと、
を有する。
【００１２】
本発明の別の態様によれば、着用者の身体の少なくとも上部を覆う衣服に恒久的に又は取り外し可能に取り付けるよう構成したマスク要素を提供し、このマスク要素は、収容状態及び展開状態をとり、前記展開状態において前記着用者の鼻及び／又は口を覆うように前方に伸展するように構成する。
【００１３】
本発明のより明確な理解が得られるよう、以下に添付図面につき１つ又はそれ以上の好ましい実施形態を説明する。
【図面の簡単な説明】
【００１４】
【図１】本発明の一実施形態による浮遊微小粒子をフィルタ処理するマスクを一体に装備した防護シャツの正面図である。
【図２】図１に示した装備の展開順序を示す一連の側面図である。
【図３】本発明の別の実施形態による浮遊微小粒子をフィルタ処理するマスクを一体に装備した防護シャツの背面図である。
【図４】図３に示したのと同じ実施形態の正面図である。
【図５】図３及び図４に示した装備の展開順序を示す一連の側面図である。
【発明を実施するための形態】
【００１５】
一実施形態によれば、本発明は、着用者の少なくとも上半身を覆う衣服を有する防護服を提供し、この衣服は、シャツタイプ折り返しカラーと、シャツタイプ折り返しカラーの一方の側方部又は後部における一方固定領域から前記シャツタイプ折り返しカラーの他方の側方部又は後部における他方の固定領域まで延在する湾曲体、凹状体、又は閉ループ形式のマスク要素と、を備え、マスク要素は、シャツタイプ折り返しカラーに連結するとき、マスクの少なくとも一部分がシャツタイプ折り返しカラーの折り返し上襟部（over fold）の裏側に隠れてほぼ見えなくなるようにシャツタイプ折り返しカラーの裏面上にしまい込む収容状態、およびマスクが着用者の鼻及び口を覆うように前方に伸展する展開状態をとることができる。この実施形態では、マスク要素は、フィルタとして作用し、着脱可能とすることができる。マスク要素は、フック及びループ式のファスナによってカラーの折り返し下襟部（under fold）に固定することもできる。
【００１６】
マスク要素は、機械洗濯可能とすることができ、オーストラリア粉塵規格ではＰ１又はＰ２に格付けされるものとすることができ、また世界中の他の管轄区域におけるこれに類する保護に関する任意な他の粉塵規格に適合させることができる。
【００１７】
本発明の別の実施形態によれば、粉塵及び浮遊汚染物の吸い込みを携帯可能に阻止する方法を提供し、この方法は、マスク要素を、着用者が着用するシャツのシャツカラーにおける折り返し上襟部の裏側にしまい込む収容状態に準備する準備ステップであって、マスク要素は、カラーの一方の側部又は後部における一方の固定領域からカラーの他方の側部又は後部における他方の固定領域まで延在する閉ループ又は湾曲体の形式とし、収容状態では隠れてほぼ見えないようにする、該準備ステップと、折り返し上襟部を立て広げ、マスク要素が各固定領域から前記着用者の口及び鼻を覆うように伸展するようにマスク要素を前記着用者の頭部上に伸展させることにより、マスク要素を展開するステップと、を有する。
【００１８】
本発明の他の実施形態によれば、シャツのカラーの折り返し下襟部に恒久的に又は取り外し可能に取り付けられるよう構成したマスク要素であって、前記カラーに連結したときに、前記カラーの一方の側部又は後部における一方の固定領域から前記カラーの他方の側部又は後部における他方の固定領域まで延在する湾曲体、凹状体、又は閉ループの形式とし、前記マスクの少なくとも一部分がカラーの折り返し上襟部の裏側に隠れてほぼ見えなくなるようにカラーの裏面上にしまい込む収容状態、およびマスクが着用者の鼻及び口を覆うように前方に伸展する展開状態、をとるように構成したマスク要素が提供される。
【００１９】
以下に図１及び図２につき説明すると、これら図面で本発明の他の実施形態を示す。全体的に参照符号１０で示す防護服は、シャツ１２を有し、このシャツ１２は、折り返し上襟部１６を設けたシャツタイプ折り返しカラー１４を備え、シャツタイプ折り返しカラー１４は、折り返し襟基部（base fold）１５、および折り返し上襟部１６の裏面と、を有する。折り返し上襟部１６の裏面は、カラーの外側境界線１７に隣接するカラーの一部分であり、折り返し襟基部１５は、着用者の首に隣接する内側境界線１８に隣接するカラーの一部分である。
【００２０】
防護服１０には更に、マスク要素２０を設け、マスク要素２０は、フィルタ領域２６を有し、また固定領域２２で折り返しカラーに取り付ける。マスク要素２０は更に、フィルタ２６を固定領域２２に連結する左側伸展領域２３及び右側伸展領域又は部分２４を有する。マスク要素２０は、この実施形態ではカラー後部の固定領域２２から左側、フィルタ、右側を経て固定領域２２に戻る閉ループ又は湾曲体２７の形式とする。
【００２１】
図面には示さないが、固定領域は、着用者の首の中央近傍においてシャツカラーの両側に配置されるように位置決めすることもできる。これによって固定領域はそれぞれ着用者の耳の下方に配置され、その結果、マスク要素が展開状態に移行する前に収容状態で絡まりがちになるのを防ぐ理想的な固定ポイントが得られる。他の一実施形態では、固定領域は、展開状態にあるときに折り返し上襟部が上方に伸展し、固定部分がそれぞれ着用者の耳たぶの真下に位置するよう、シャツタイプカラーの折り返し上襟部の裏面に配置する。これにより、収容状態ではマスクをシャツカラーの裏側に密着してしまい込むことができ、展開状態では固定領域から使用者の鼻及び口に達する長い伸展部分を必要としなくなる。
【００２２】
一実施形態では、固定領域２２及び／又は左側伸展領域２３及び／又は右側伸展領域２４は、マスク要素２０が個人の鼻及び口に密着して心地よく装用できる、弾性特性を有する材料により構成する。
【００２３】
マスク要素２０は、図示の実施形態では折り返し上襟部１６の裏面に縫着する。しかしながら、いくつかの代替的構成では、マスク要素２０は、フック及びループ式のファスナ（図示せず）によって取り付け可能又は取り外し可能とすることもできる。
【００２４】
有利なことに、マスク要素２０は、マスク要素２０を展開するとき、即ち図２ｄに示す展開状態にあるときに、カラーが使用者の両肩から上方に延びる折り戻し（襟立て）状態となるように折り返し上襟部の境界線に隣接して取り付ける。また、マスク要素２０は、底端縁３１が使用者の顎及び下顎の下方に位置するように水平方向に延在するとともに、上端縁３２は、上方にテーパを付け、これにより展開状態にあるとき着用者の鼻梁の上に被さって、マスク要素の端縁周りの封止を容易にし、浮遊粒子状物質からの保護を確実にする。
【００２５】
運用にあたり、本防護服は、図２ａに示す収容状態から図２ｂに示す展開状態まで伸展することができる。図２ａでは、収容状態のマスク要素２０は、カラーの折り返し上襟部１６によって隠れてほぼ見えなくなっている。マスク要素の展開状態（図２ｂ）への移行を開始するため、折り返し上襟部１６を立て、折り返し上襟部１６の裏面１５における固定領域２２が見えるようになる。
【００２６】
この展開すなわち収容状態から展開状態への移行方法は、以下のとおりである。カラーを立て広げ、マスク要素２０のフィルタ領域２６を使用者の頭部上に伸展させ（図２ｃ参照）、マスク要素２０の底端縁３２を使用者の顎の下まで引き下げる。一方、マスク要素２０の上端縁３２は、粉塵が使用者の鼻及び口に入るのを阻止するよう使用者の鼻梁及び使用者の頬骨に沿って延びるようにすることで、良好な封止が容易となる位置に配置する。展開状態において、フィルタ要素２６は、使用者の口及び／又は鼻の領域に進入するいかなる空気もフィルタ要素２６を通過する状態となる。
【００２７】
図示の好ましい実施形態において、マスクは、織物とし、また機械洗濯可能な材料で形成する。しかしながら、マスクは、任意の適切な材料で形成することもあり得る。他の実施形態において、マスク要素は、さらに排気弁を有する構成とすることができる。
【００２８】
図３、図４、及び図５につき説明すると、これら図面において本発明の他の実施形態を示す。上半身用衣服５０は、上半身用衣服５０の背面又は背中領域における、シャツ５０の首領域７０の直近にポケット部分５５を設ける。ポケット部分５５は隔室をなし、この隔室内において、収容状態のマスク要素６０はほぼ見えず、この実施形態では完全に隠れて見えない状態にしまい込まれる。
【００２９】
とくに図４につき説明すると、マスク要素６０が展開状態にある、正面から見た衣服５０を見ることができる。この場合、マスク要素６０は、ポケット５５から取り出され、使用者の鼻及び口をぴったりと覆うように伸展されている。マスク要素６０は、ポケット部分５５内に配置した固定領域から、使用者の頭部上にマスク要素６０を伸展及び配置できる各伸展部分６３で伸展する。
【００３０】
図５ａ〜図５ｃにつき説明すると、マスク要素６０をポケット部分５５から取り出し（ここでは図示せず）、収容状態から使用者の頭部上に伸張および配置し、それによってマスク要素６０が展開状態において使用者の鼻及び口を覆う所定位置に配置する順序を示し、このマスクによって着用者が吸い込む浮遊微小粒子の量を減少させることができるようになる。
【００３１】
最後に、代替的な構成において、シャツの背面のカラーに近接する、シャツの内側又は外側のポーチ又はポケットにマスクを保管することも可能であることを理解されたい。これにより、マスク要素２０の利用が容易になるとともに、マスク要素２０が収容状態にあるときはフィルタが日々の粉塵、他の粒子および汚染物で詰まることを防止できる。
【００３２】
本明細書及び添付した特許請求の範囲全体をとおして、文脈上別段の解釈が要求されない限り、本明細書で使用する「comprise（備える／有する）」という用語、及びその変化形（「comprises」や「comprising」等）は、本明細書で言及する構成又はステップあるいは一群の構成又はステップを含むことを意味するものであり、その他の構成又はステップあるいは一群の構成又はステップの存在を排除するものではないことを理解されたい。
【００３３】
本明細書における何らかの従来技術刊行物（又はそこから得られる情報）または既知事項に対する言及は、従来技術刊行物（又はそこから得られる情報）あるいは既知事項が本明細書に関連する技術分野における共通の一般知識の一部をなすということを、知得、容認、又は何らかの示唆をするものとして解釈すべきではない。
【００３４】
最後に、本発明の概念は、どの態様においても上述の説明における上位概念が添付図面の詳細によって失われることがないよう、多種多様な構造に組み込まれ得ることを理解されたい。これら様々な部分の構造及び構成には、本発明の精神又は範囲から逸脱しない限り様々な代替物、変更物、及び／又は付加物を組み込むことができる。
【図１】
2011527386.tif 000003
【図２ａ】
2011527386.tif 000004
【図２ｂ】
2011527386.tif 000005
【図２ｃ】
2011527386.tif 000006
【図２ｄ】
2011527386.tif 000007
【図３】
2011527386.tif 000008
【図４】
2011527386.tif 000009
【図５ａ】
2011527386.tif 000010
【図５ｂ】
2011527386.tif 000011
【図５ｃ】
2011527386.tif 000012
【国際調査報告】
2011527386.tif 000013
2011527386.tif 000014